(57)【要約】【課題】  サイズの異なる原稿が混載されても、読み取った画像データを記憶する記憶部の記憶領域を節約できるようにする。【解決手段】  第１の読取り部９は、原稿２１の搬送路２５に配置され原稿２１の少なくとも主走査サイズを読取り検出する。第２の読取り部１１は、その搬送路２５に配置されその原稿２１から画像データを電子的に読み取る。記憶部１３は読み取った画像データを記憶する。制御部１９は、第１の読取り部９で読み取った走査サイズに基づき記憶部１３における原稿サイズ相当の記憶領域を確保し、第２の読取り部１１で読み取った画像データを記憶制御する。【選択図】  図１
2008244650.tif 000002
【特許請求の範囲】
【請求項１】
読取られる原稿の搬送路に配置され、前記原稿の少なくとも主走査サイズを読取り検出する第１の読取り部と、
前記搬送路に配置され前記原稿から画像データを電子的に読み取る第２の読取り部と、
読み取られる前記画像データを記憶する記憶部と、
前記第１の読取り部で読み取られた走査サイズに基づき前記記憶部における前記原稿サイズ相当の記憶領域を制御するとともに、前記第２の読取り部で読み取られる前記画像データを記憶制御する制御部と、
を具備することを特徴とする原稿読取装置。
【請求項２】
前記第１の読取り部は前記原稿の副走査サイズも読み取り検出し、前記制御部は主走査サイズおよび副走査サイズに基づき前記記憶部における前記記憶領域を制御する請求項１記載の原稿読取装置。
【請求項３】
前記第１の読取り部は、前記搬送路において前記第２の読取り部より上流側に配置される請求項１又は２記載の原稿読取装置。
【請求項４】
前記第１の読取り部は、原稿の両面から前記画像データを読み取る対をなす読取り部の一つである請求項１又は２記載の原稿読取装置。
【発明の詳細な説明】
【技術分野】
【０００１】
本発明は原稿読取装置に係り、例えば複写機、ファクシミリ機又はそれらの複合機（ＭＦＰ：Multi Function Peripheral）等に搭載して好適する原稿読取装置の改良に関する。
【背景技術】
【０００２】
原稿読取装置では、原稿から電子的に読み取った画像データを記憶部に記憶させてから印刷処理等を行うが、その記憶部は制御部や印刷エンジンその他の構成要素の記憶手段としても分割共用されるから、読み取る画像データの大きさに応じて予め記憶領域を確保して円滑な動作が行われるようにしている。
【０００３】
ところが、図３に示すように、寸法の異なる原稿１、３すなわち主走査サイズの異なる原稿１、３が混在している場合とか、その原稿１、３の主走査サイズおよび副走査サイズが分からない場合には、読み取ることのできる最大サイズ５に相当する記憶領域を記憶部に確保しなければならず、原稿サイズの検出が重要である。
【０００４】
そこで、例えば特開２００１−１７７６９９号公報（特許文献１）に示す原稿読取装置が提案されている。
【０００５】
この特許文献１の構成は、自動原稿送り装置から送出された原稿の先端が原稿の主走査サイズ検知位置まで搬送されたとき、当該原稿の主走査方向の少なくとも一端を主走査サイズセンサで検知し、その主走査サイズセンサ位置と自動原稿送り装置の原稿載置位置との間の原稿搬送路の途中に、主走査サイズセンサ位置から原稿の副走査方向基準長の分だけ離した副走査サイズ検知位置に副走査サイズセンサを設け、この副走査サイズセンサで原稿の副走査方向長がその基準長さ以上か未満かを検知し、主走査サイズおよび副走査サイズセンサからの検知情報に基づいて原稿のサイズを判定するものであり、センサ類の数を低減し、原稿読取り開始前に原稿サイズを正確に検知できるようにしたものである。
【特許文献１】特開２００１−１７７６９９号公報
【発明の開示】
【発明が解決しようとする課題】
【０００６】
しかしながら、上述した特許文献１の原稿読取装置では、原稿の副走査方向基準長の分だけ離した主走査サイズおよび副走査サイズセンサによって原稿サイズを判定するから、原稿が主走査サイズおよび副走査サイズセンサを通過しないと判定できず、速やかな判定動作を行って円滑な動作を確保するには改良の余地があるうえ、記憶部における領域確保について具体的な提案をするものではなく、原稿サイズの検出について適切な構成の提供が望まれている。
【０００７】
そこで、本発明者は、原稿読取装置について種々の観察検討を行った結果、両面原稿を読み取る装置においては複数の読み取り手段が配置されている点に着目し、本発明を完成させた。
【０００８】
本発明はそのような課題を解決するためになされたもので、サイズの異なる原稿を混載して読み取る場合でも、読み取った画像データを格納する記憶部の記憶領域の節約が可能な原稿読取装置の提供を目的とする。
【課題を解決するための手段】
【０００９】
そのような課題を解決するために本発明に係る原稿読取装置は、読み取られる原稿の搬送路に配置されその原稿の少なくとも主走査サイズを読み取り検出する第１の読取り部と、その搬送路を搬送する原稿から画像データを電子的に読み取る第２の読取り部と、読み取られる画像データを記憶する記憶部と、その第１の読取り部で読み取られる走査サイズに基づきその記憶部における原稿サイズ相当の記憶領域を制御するとともに、その第２の読取り部で読み取られる画像データを記憶制御する制御部とを具備している。
【００１０】
本発明の原稿読取装置では、上記第１の読取り部がその原稿の副走査サイズも読取り検出し、上記制御部が主走査サイズおよび副走査サイズに基づきその記憶部における記憶領域を制御する構成も可能である。
【００１１】
本発明の原稿読取装置では、上記第１の読取り部が、その搬送路において第２の読取り部より上流側に配置される構成も可能である。
【００１２】
本発明の原稿読取装置では、上記第１の読取り部が、原稿の両面から画像データを読み取る対をなす読取り部の一つである構成も可能である。
【発明の効果】
【００１３】
このような本発明に係る原稿読取装置では、原稿の少なくとも主走査サイズを第１の読取り部で読み取り検出し、その原稿から画像データを第２の読取り部で電子的に読み取り、読み取った画像データを記憶部に記憶し、制御部において、第１の読取り部で読み取った走査サイズに基づき記憶部における原稿サイズ相当の記憶領域を確保するとともに第２の読取り部で読み取った画像データを記憶制御するから、サイズの異なる原稿を混載して読み取る場合でも、読み取った画像データを格納する記憶部の記憶領域の節約が可能である。
【００１４】
本発明において、上記第１の読取り部がその原稿の副走査サイズも読み取り検出し、上記制御部が主走査サイズおよび副走査サイズに基づきその記憶部における記憶領域を確保制御する構成では、余分な記憶領域を記憶部に確保することなく、確実に記憶領域の節約が可能である。
【００１５】
本発明において、上記第１の読取り部が、その搬送路において第２の読取り部より上流側に配置された構成では、記憶部に対する記憶領域の処理が速くなり、速やかに画像データを格納することが可能である。
【００１６】
本発明において、上記第１の読取り部が、原稿の両面から画像データを読み取る対をなす読取り部の一つである構成では、原稿読取装置の機構的構成を大きく変更せずに実施可能となる利点がある。
【発明を実施するための最良の形態】
【００１７】
以下、本発明に係る原稿読取装置の実施の形態を図面を参照して説明する。
【００１８】
図１は本発明に係る原稿読取装置の実施の形態を示すブロック図である。
【００１９】
図１において本発明に係る原稿読取装置は、自動原稿送り部７、第１の読取り部９、第２の読取り部１１、記憶部１３、画像形成部１５、ＲＯＭ１７およびこれらを制御する制御部１９を有して形成されている。
【００２０】
自動原稿送り部７は、図２に示すように、原稿２１を載置する原稿トレイ２３の上端近傍に配置された引取りローラ２７、原稿２１の搬送路２５に配置され原稿２１を反転させる大小の案内ローラ２９、３１等からなり、例えば複写機３３等の画像形成装置の上部に配置される。
【００２１】
それら引取りローラ２７および案内ローラ２９、３１等が、制御部１９によって所定のタイミングで回転制御され、原稿トレイ２３に載置された原稿２１が引取りローラ２７によって引き取られて搬送路２５へ送られ、搬送路２５において案内ローラ２９、３１によって反転させられて所定の読取り位置に搬送され、排紙される。
【００２２】
第１の読取り部９は、搬送路２５における引取りローラ２７から案内ローラ２９、３１の間、特に引取りローラ２７近傍に配置された例えばＣＩＳ（Contact Image Sensor）からなる光学式ラインセンサであり、原稿トレイ２３から搬送される原稿２１中の少なくとも最大主走査サイズの寸法を有し、例えば原稿２１に照射した光の反射光を受光し、原稿２１の主走査サイズを電子的に読取り、検出サイズデータを図１の制御部１９に出力する機能を有している。
【００２３】
第１の読取り部９は、原稿２１の先端の主走査サイズを検出サイズデータとして出力するとともに、第１の読取り部９近傍を搬送される原稿２１の副走査サイズも電子的に読取り、副走査サイズを検出サイズデータとして出力する機能を有している。
【００２４】
第２の読取り部１１は、図２に示すように、搬送路２５における案内ローラ２９、３１の先において案内ローラ２９近傍に配置された例えばＣＣＤ（Charge Coupled Device）からなる光学式ラインセンサであり、案内ローラ２９から搬送された原稿２１に照射した光の反射光を受光し、原稿２１中の印刷画像を画像データとして電子的に読取り、制御部１９の制御の下、記憶部１３に出力する機能を有している。
【００２５】
記憶部１３は、制御部１９の制御の下、第２の読取り部１１からの画像データの他、画像形成部１５で形成される画像イメージデータその他を記憶する読み書き可能なメモリであり、後述するように第１の読取り部９からの検出サイズデータによって予め画像データ格納前に記憶領域が確保される。
【００２６】
画像形成部１５は、制御部１９の制御の下、記憶部１３から画像データに基づき頁単位の画像イメージデータに展開して記憶部１３に出力する公知の機能を有している。画像イメージデータは、例えば図示しない印刷エンジンによって印刷される。
【００２７】
ＲＯＭ１７は、制御部１９の動作プログラムその他を記憶する読出し専用メモリである。
【００２８】
制御部１９は主にＣＰＵを主体としてなり、上述したように自動原稿送り部７、第１の読取り部９、第２の読取り部１１、記憶部１３および画像形成部１５を制御するとともに、第１の読取り部９からの検出サイズデータに基づき、記憶部１３内に予め確保する画像データ記憶領域を決定する機能を有している。
【００２９】
すなわち、制御部１９は、主走査サイズデータおよび副走査サイズデータから当該原稿サイズ（面積）を算出するとともに、その原稿サイズ全体が画像データである仮定した記憶領域を算出し、この算出値に基づき記憶部１３内を頁毎に領域確保制御する機能を有する一方、画像データが使用されたときにはその領域を解放する機能を有している。
【００３０】
次に、本発明に係る原稿読取装置の動作を簡単に説明する。
【００３１】
原稿トレイ２３に配置された原稿２１が引取りローラ２７によって引き取られて搬送路２５へ送られると、第１の読取り部９によって原稿２１先端部の寸法すなわち原稿２１の主走査サイズが電子的に読取られて検出サイズデータとして制御部１９に出力されるとともに、搬送中の原稿２１からその副走査サイズが電子的に読取られて検出サイズデータとして制御部１９に出力される。
【００３２】
制御部１９では、それら主走査サイズおよび副走査サイズデータから当該原稿サイズを算出するとともに画像データの記憶に必要な記憶領域を算出し、この算出値に基づき記憶部１３内を頁毎に領域確保する。
【００３３】
原稿２１は、搬送路２５において案内ローラ２９、３１で反転させられて第２の読取り部１１近傍に送られ、第２の読取り部１１によって原稿２１中から電子的に読取られた画像データが、予め記憶部１３に確保された記憶領域に格納される。
【００３４】
その後、記憶部１３の画像データが、画像形成部１５にて頁単位の画像イメージデータに展開され、印刷エンジン等によって印刷された後、記憶部１３の記憶領域が解放される。
【００３５】
このように本発明に係る原稿読取装置では、原稿２１の搬送路２５に配置され原稿２１の主走査サイズおよび副走査サイズを読取り検出する第１の読取り部９と、その搬送路２５の下流側に配置されその原稿２１から画像データを電子的に読み取る第２の読取り部１１と、読み取られた画像データを記憶する記憶部１３と、その第１の読取り部９で読み取られたそれら走査サイズに基づきその記憶部１３における原稿サイズ相当の記憶領域を確保制御するとともにその第２の読取り部１１で読み取られた画像データを記憶制御する制御部１９とを具備している。
【００３６】
そのため、原稿２１の主走査サイズおよび副走査サイズから原稿２１のサイズに対応した記憶領域が記憶部１３内に確保されるから、サイズの異なる原稿２１が原稿トレイ２３に混載されて搬送路２５に送られても、予め余分な記憶領域確保をせずとも、読み取った画像データを記憶部１３に確実に記憶させることが可能で、記憶領域を節約できるし、記憶領域の確保、解放処理も軽減される。
【００３７】
しかも、第１の読取り部９が、原稿２１の搬送路２５において画像データを読取る第２の読取り部１１より上流側に配置されるから、画像データを取得する前に記憶部１３の記憶領域確保が可能で、画像データの記憶処理を高速化できる利点がある。
【００３８】
もっとも、本発明では、第２の読取り部１１を上流側に配置する構成も可能であるが、処理の高速化を確保する観点から、図２に示す構成の方が好ましいであろう。
【００３９】
ところで、近年の複写機等の画像形成装置（原稿読取装置）では、両面印刷された原稿２１の両面印刷画像を読取るために、搬送中の原稿２１の表裏両面に向けて対をなす読取り部を配置する構成が提供されており、本発明の第１の読取り部９を、それら表裏両面に向けて配置した読取り部の内の一方（一つ）の読取り部を流用すれば、原稿読取装置（画像形成装置）の機構的構成を大きく変更せずに実施可能となる利点がある。
【００４０】
また、上述した本発明の原稿読取装置では、第１の読取り部９が原稿２１の主走査サイズおよび副走査サイズを読取り検出する構成としたが、本発明の原稿読取装置ではこれに限定されず、第１の読取り部９が原稿２１の少なくとも主走査サイズを読取り検出する機能を有していれば、本発明の目的達成が可能である。
【００４１】
すなわち、原稿２１を読取る場合、原稿２１の短辺側を主走査方向にして原稿２１を載置する使用例が多数予想され、短辺側を主走査方向にして原稿２１を配置する場合では、従来のように読み取ることのできる最大サイズ５を記憶部１３に確保しなければならない頻度が少なく、記憶部１３内の記憶領域の節約が可能である。
【００４２】
それに合わせて制御部１９は、少なくとも主走査サイズから記憶領域を確保するよう形成されていれば良い。
【００４３】
なお、本発明の原稿読取装置において、第１、第２の読取り部９、１１が近い場合、副走査サイズの検出完了前に画像データの読取りが開始される場合もあるが、上述した構成に置いては、副走査サイズの検出が先に完了するから支障はない。
【図面の簡単な説明】
【００４４】
【図１】本発明に係る原稿読取装置の実施の一形態を示すブロック図である。
【図２】図１の原稿読取装置の概略構成図である。
【図３】原稿の主走査方向および副走査方向を説明する概略図である。
【符号の説明】
【００４５】
１、３  原稿
５  最大サイズ
７  自動原稿送り部
９  第１の読取り部
１１  第２の読取り部
１３  記憶部
１５  画像形成部
１７  ＲＯＭ
１９  制御部
２１  原稿
２３  原稿トレイ
２５  搬送路
２７  引取りローラ
２９、３１  案内ローラ
３３  複写機（画像形成装置）
【図１】
2008244650.tif 000003
【図２】
2008244650.tif 000004
【図３】
2008244650.tif 000005